(57)【要約】【課題】  携帯端末に内蔵されたアンテナがどこに配設されているかを外観から識別できる【解決手段】  第一の筐体と、第一の筐体に開閉可能にされた第二の筐体とを備えた携帯端末において、第一の筐体内もしくは第二の筐体内に内蔵される内蔵アンテナを備え、前記内蔵アンテナを備えた筐体側にそのアンテナの所在を示すための識別手段を具備したことによって内蔵アンテナが配設されている付近の筐体に手や指が近づくことがないようにユーザに対して注意を喚起したものである。【選択図】図１
2006310911.tif 000002
【特許請求の範囲】
【請求項１】
第一の筐体と、該第一の筐体に開閉可能にされた第二の筐体とを備えた携帯端末において、前記第一の筐体内もしくは第二の筐体内に内蔵される内蔵アンテナを備え、前記内蔵アンテナを備えた筐体側にそのアンテナの所在を示すための識別手段を具備したことを特徴とする携帯端末。
【請求項２】
内蔵アンテナを備えた携帯端末において、前記内蔵アンテナを内蔵する筐体のうち、前記内蔵アンテナに対向する部位およびその近傍に内蔵アンテナの所在を示すための識別手段が設けられたことを特徴とする携帯端末。
【請求項３】
前記識別手段はアンテナの存在を示す記号、図形または文字であることを特徴とする請求項１または２記載の携帯端末。
【請求項４】
前記識別手段は着信報知用を兼用するインディケータであることを特徴とする請求項１または２記載の携帯端末。
【請求項５】
内蔵アンテナと表示部とを具備した携帯端末において、筐体における内蔵アンテナの配置位置と表示部における受信する電波の強さを示すアンテナマークの表示位置とが同方向であることを特徴とする携帯端末。
【請求項６】
第一の筐体と、該第一の筐体に開閉可能に連結されるとともに内蔵アンテナを備えた第二の筐体と、筐体を開いた際に表示面が露出される主表示部と、 筐体の開閉に関係なく露出される補助表示部とを備えた携帯端末において、前記第二の筐体が開いた際には主表示部におけるアンテナマークの表示位置と前記第二の筐体における内蔵アンテナの配置位置とが同方向にあり、前記第二の筐体が閉じた際には補助表示部におけるアンテナマークの表示位置と前記第二の筐体における内蔵アンテナの配置位置とが同方向にあることを特徴とする携帯端末。
【発明の詳細な説明】
【技術分野】
【０００１】
本発明は、内蔵アンテナを備えた携帯電話機などの携帯端末に関し、その外観から筐体のどこにアンテナが内蔵されているかを識別できるようにしたものである。
【背景技術】
【０００２】
近年、携帯端末の外部に設置された収納・伸長式のホイップアンテナを採用した端末に代わってデザイン性の向上が図られ、ポケットに入れた端末をポケットから取り出すときにもポケットからスムーズに出すことができる、等のメリットを有するアンテナとして、端末内部に設置された、いわゆる内蔵アンテナを採用した端末が市場に出現してきている。
【０００３】
また、特許文献１に開示されているように、二つ折り携帯無線端末のヒンジ部近傍の筐体に突出部を設け、そこに内蔵アンテナを配置して通話時に内蔵アンテナとユーザ頭部との間隔を比較的大きくとるようにしたものがある。
【特許文献１】特開２００４−７３１０号
【発明の開示】
【発明が解決しようとする課題】
【０００４】
しかしながら、従来の携帯端末ではユーザは内蔵アンテナが筐体のどこに設けられているかを知らないために筐体の持ち方によっては電波感度を低下させてしまっているおそれがある。特許文献１のように上側筐体と下側筐体とがヒンジ結合された二つ折り型の携帯無線端末であって、下側筐体のヒンジ部近傍において外側に突出した突出部を備え、この突出部は内蔵アンテナを収納することが開示されているために以下のような課題がある。
【０００５】
たしかに突出部に内蔵アンテナが収納されているためにユーザは使用時にこの突出部をユーザの手または指で覆われるおそれは小さい。しかし、近年、軽薄短小の携帯無線端末が要求されている市場に対し、内蔵アンテナをわざわざ突出部を設ける必要があるためにどうしてもサイズが大きく、重量も重たくせざるを得ないデザインになる。
【課題を解決するための手段】
【０００６】
本発明はこれらの課題を解決するために、第一の筐体と、該第一の筐体に開閉可能にされた第二の筐体とを備えた携帯端末において、前記第一の筐体内もしくは第二の筐体内に内蔵される内蔵アンテナを備え、前記内蔵アンテナを備えた筐体側にそのアンテナの所在を示すための識別手段を具備したことを特徴とする。
【０００７】
また、内蔵アンテナを備えた携帯端末において、前記内蔵アンテナを内蔵する筐体のうち、前記内蔵アンテナに対向する部位およびその近傍に内蔵アンテナの所在を示すための識別手段が設けられたことを特徴とする。
【０００８】
また、前記識別手段はアンテナの存在を示す記号、図形または文字であることを特徴とする。
【０００９】
また、内蔵アンテナと表示部とを具備した携帯端末において、筐体における内蔵アンテナの配置位置と表示部における受信する電波の強さを示すアンテナマークの表示位置とが同方向であることを特徴とする。
【００１０】
また、第一の筐体と、該第一の筐体に開閉可能に連結されるとともに内蔵アンテナを備えた第二の筐体と、筐体を開いた際に表示面が露出される主表示部と、 筐体の開閉に関係なく露出される補助表示部とを備えた携帯端末において、前記第二の筐体が開いた際には主表示部におけるアンテナマークの表示位置と前記第二の筐体における内蔵アンテナの配置位置とが同方向にあり、前記第二の筐体が閉じた際には補助表示部におけるアンテナマークの表示位置と前記第二の筐体における内蔵アンテナの配置位置とが同方向にあることを特徴とする。
【発明の効果】
【００１１】
本発明によれば、筐体の外観から筐体のどこにアンテナが内蔵されているかを一見して分かる。したがって、電波感度を低下させないようにするための筐体の持ち方についてユーザに喚起を促すことができる。
【発明を実施するための最良の形態】
【００１２】
次に、本発明の実施の形態について、図面を参照して説明する。
【００１３】
図1乃至図５は、本発明の実施の形態の携帯端末の外観図である。
【００１４】
本実施の形態の携帯端末１は、折り畳み型であり、筐体を開状態（図１（ａ））又は閉状態（図１（ｂ））にすることができる。すなわち、図１に示す携帯端末１は、少なくとも受話部１８を有する上側筐体２と、少なくとも送話部１７を有する下側筐体３とで構成され、上側筐体２と下側筐体３はヒンジ４によって、互いに回動可能に接続されている。
【００１５】
メインＬＣＤ１９ａは、携帯端末１の筐体が閉状態（図１（ｂ））において筐体２，３の内側に隠れる位置の上側筐体２に配置されている。このメインＬＣＤ１９ａには、筐体が開状態にて、携帯端末１の各種機能や、電話帳として記憶された通信相手先（電話番号、名前等）を表示する。すなわち、メインＬＣＤ１９ａは、携帯端末１の操作に関する表示を行うユーザインタフェースとしての表示器である。
【００１６】
サブＬＣＤ１９ｂは、携帯端末１の筐体が閉状態（図１（ｂ））においても筐体２，３の外側から視認しうる位置の上側筐体２に配置されている。このサブＬＣＤ１９ｂには、筐体が閉状態でも、現在の携帯端末１の状態（基地局からの電波強度、充電状態、着信表示等）を表示する表示器である。アンテナ８は筐体に内蔵され、無線基地局からの電波を受信し、無線基地局に対し電波を送信する。また、アンテナ８は筐体に内蔵されているために筐体の外観からはどこに内蔵アンテナ８が配設されているかを確認することができない。この実施例の場合には上側筐体２の端部に左サイド側に内蔵アンテナ８が設けられている。ここでは、説明を容易にするために図示したものは内蔵アンテナ８が配設しているものは黒く塗り潰している。
【００１７】
このようにユーザからは内蔵アンテナ８の位置を確認することができないので、その位置を知らせるための識別手段として筐体外面にマークを記すようにした。このように識別手段を設けることによって出来るだけ電波強度の劣化を防ぐためにこの内蔵アンテナ８が配設されている付近の筐体に手や指が近づくことがないようにユーザに対して注意を喚起したものである。
【００１８】
この識別手段として、図1はアンテナ８が内蔵するその近傍の位置に図形であるアンテナマーク６のような図形を筐体面に刻印した実施例である。
【００１９】
図２はアンテナ８が内蔵するその近傍に記号である黒丸６を用いた筐体２に刻印した実施例である。
【００２０】
図３はアンテナ８が内蔵するその近傍に「ＡＮＴ」という文字７を筐体２に刻印した実施例である。なお、上述の例は、アンテナ８を内蔵するその近傍の筐体面において記号、図形、文字を記したが、アンテナ８のその位置において筐体面に記号、図形、文字を記すことが最も好ましい。
【００２１】
図４はアンテナ８が内蔵するその近傍にＬＥＤ５のようなインディケータを設けることによってＬＥＤ５が点灯してアンテナ８の存在をユーザに知らせる。ＬＥＤ５は着信を知らせる着信ランプと兼用で、着信時には激しく点滅する。
【００２２】
図５（ａ）は携帯端末１の筐体を開状態にした状態であり。図５（ｂ）は携帯端末１の筐体を閉状態にしたものである。内蔵アンテナ８は上側筐体２に設けられているためにこの上側筐体２の開閉操作に伴って内蔵アンテナ８の位置も移動する。図５（ａ）の開状態においては、閉状態時に点灯していたサブＬＣＤ１９ｂが消灯し、消灯していたメインＬＣＤ１９ａが点灯する。点灯されたメインＬＣＤ１９ａから内蔵アンテナ８の位置を確認できるようにするために上側筐体２における内蔵アンテナ８の配置位置とメインＬＣＤ１９ａにおけるアンテナマーク１２の表示位置とを同方向にしてある。このアンテナマーク１２は内蔵アンテナ８の受信電波のレベルを表示するもので、受信電波レベル毎に異なる電波の強さのマークが表示される。このようにしたことによりユーザはメインＬＣＤ１９ａに表示されているアンテナマーク１２の位置を見るだけで上側筐体２における内蔵アンテナ８の配置位置が分かる。  
図５（ｂ）の閉状態においては、開状態時に点灯していたメインＬＣＤ１９ａが消灯し、消灯していたサブＬＣＤ１９ｂが点灯する。点灯されたサブＬＣＤ１９ｂから内蔵アンテナ８の位置を確認できるようにするために上側筐体２における内蔵アンテナ８の配置位置とサブＬＣＤ１９ｂにおけるアンテナマーク１１の表示位置とを同方向にしてある。このようにしたことによりユーザはサブＬＣＤ１９ｂに表示されているアンテナマーク１１の位置を見るだけで上側筐体２における内蔵アンテナ８の配置位置が分かり、かつ、内蔵アンテナ８の電波の強さも分かる。
【００２３】
上述の実施の形態は折り畳み式の携帯端末について説明したがこの折り畳み式の携帯端末に限定されることはない。例えば、ストレートタイプ、筐体が１８０度、回転するリボルバタイプ、筐体が上下に移動するスライドタイプ等の携帯端末も対象となる。
【図面の簡単な説明】
【００２４】
【図１】本発明の携帯端末装置に係る第１の実施形態を示す外観斜視図である。
【図２】本発明の携帯端末装置に係る第２の実施形態を示す外観斜視図である
【図３】本発明の携帯端末装置に係る第３の実施形態を示す外観斜視図である
【図４】本発明の携帯端末装置に係る第４の実施形態を示す外観斜視図である
【図５】本発明の携帯端末装置に係る第５の実施形態を示す外観斜視図である
【符号の説明】
【００２５】
１  携帯端末
２  上側筐体
３  下側筐体
４  ヒンジ
５  ＬＥＤ
６  黒丸
７  文字
８  内蔵アンテナ
６、１１，１２  アンテナマーク
１７  送話部
１８  受話部
１９ａ  メインＬＣＤ
１９ｂ  サブＬＣＤ
【図１】
2006310911.tif 000003
【図２】
2006310911.tif 000004
【図３】
2006310911.tif 000005
【図４】
2006310911.tif 000006
【図５】
2006310911.tif 000007